(57)【要約】      （修正有）【課題】フォークリフトの爪を利用した収納棚における収納物落下防止装置を提供するものである。【解決手段】収納棚における収納物落下防止装置は、水平部材７が第１の被係止部５４と第２の被係止部６４に、それぞれ係止した時、水平部材７は開口部を横断して収納物が開口部から落下するのを阻止し、水平部材７が第１の被係止部５４と第２の被係止部６４から離脱し、水平部材７が下方に移動した時、開口部が開放され、収納物の出入りが許容されるものである。【選択図】図８
2010254407.tif 000002
【特許請求の範囲】
【請求項１】
収納物を出し入れする開口部を垂直方向に間隔を置いて複数有する収納棚と、
この収納棚の第１の垂直部材に取り付けられ、垂直方向に長い第１の長孔を有すると共に、該第１の長孔より上に位置する第１の被係止部を備えた第１の支持部材と、
前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、
筒状に形成された水平部材と、
この水平部材に挿し通され、前記水平部材を支持する棒状部材と、
この棒状部材の一端を支持する第１の水平支持部材と、
前記棒状部材の他端を支持する第２の水平支持部材と、
前記第１の水平支持部材を前記第１の長孔に遊嵌して前記第１の水平支持部材の垂直方向の移動と回動を許容するように取り付けられた第１の取付部材と、
前記第２の水平支持部材を前記第２の長孔に遊嵌して前記第２の水平支持部材の垂直方向の移動と回動を許容するように取り付けられた第２の取付部材とを備え、
前記水平部材が前記第１の被係止部と前記第２の被係止部に、それぞれ係止した時、前記水平部材は前記開口部を横断して前記収納物が前記開口部から落下するのを阻止し、
前記水平部材が前記第１の被係止部と前記第２の被係止部から離脱し、前記水平部材が下方に移動した時、前記開口部が開放され、前記収納物の出入りが許容される
ことを特徴とする収納棚における収納物落下防止装置。
【請求項２】
収納物を出し入れする開口部を垂直方向に間隔を置いて複数有する収納棚と、
この収納棚の第１の垂直部材に取り付けられ、垂直方向に長い第１の長孔を有すると共に、該第１の長孔より上に位置する第１の被係止部を備えた第１の支持部材と、
前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、
筒状に形成された水平部材と、
この水平部材に挿し通され、前記水平部材を支持する棒状部材と、
この棒状部材の一端を支持する第１の水平支持部材と、
前記棒状部材の他端を支持する第２の水平支持部材と、
前記第１の水平支持部材を前記第１の長孔に遊嵌して前記第１の水平支持部材の垂直方向の移動と回動を許容するように取り付けられた第１の取付部材と、
前記第２の水平支持部材を前記第２の長孔に遊嵌して前記第２の水平支持部材の垂直方向の移動と回動を許容するように取り付けられた第２の取付部材とを備え、
フォークリフトで前記開口部を介して収納物を前記収納棚に載置した後、
前記フォークリフトの爪で前記水平部材を支持し、前記爪を移動させて前記第１の被係止部と前記第２の被係止部に前記水平部材を係止させ、前記水平部材により前記開口部を横断して前記収納物が前記開口部から落下するのを阻止し、
前記開口部を開放する時には、前記フォークリフトの爪で前記水平部材を支持し、
前記フォークリフトの爪を移動させて前記水平部材を前記第１の被係止部と前記第２の被係止部から離脱させる
ことを特徴とする収納棚における収納物落下防止方法。
【請求項３】
収納物を出し入れする開口部を垂直方向に間隔を置いて複数有する収納棚と、
この収納棚の第１の垂直部材に取り付けられ、垂直方向に長い第１の長孔を有すると共に、該第１の長孔より上に位置する第１の被係止部を備えた第１の支持部材と、
前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、
水平部材と、
この水平部材の一端を支持する第１の水平支持部材と、
前記水平部材の他端を支持する第２の水平支持部材と、
前記第１の水平支持部材を前記第１の長孔に遊嵌して前記第１の水平支持部材の垂直方向の移動と回動を許容するように取り付けられた第１の取付部材と、
前記第２の水平支持部材を前記第２の長孔に遊嵌して前記第２の水平支持部材の垂直方向の移動と回動を許容するように取り付けられた第２の取付部材とを備え、
前記水平部材が前記第１の被係止部と前記第２の被係止部に、それぞれ係止した時、前記水平部材は前記開口部を横断して前記収納物が前記開口部から落下するのを阻止し、    前記水平部材が前記第１の被係止部と前記第２の被係止部から離脱し、前記水平部材が下方に移動した時、前記開口部が開放され、前記収納物の出入りが許容される
ことを特徴とする収納棚における収納物落下防止装置。
【請求項４】
収納物を出し入れする開口部を垂直方向に間隔を置いて複数有する収納棚と、
この収納棚の第１の垂直部材に取り付けられ、垂直方向に長い第１の長孔を有すると共に、該第１の長孔より上に位置する第１の被係止部を備えた第１の支持部材と、
前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、
水平部材と、
この水平部材の一端を支持する第１の水平支持部材と、
前記水平部材の他端を支持する第２の水平支持部材と、
前記第１の水平支持部材を前記第１の長孔に遊嵌して前記第１の水平支持部材の垂直方向の移動と回動を許容するように取り付けられた第１の取付部材と、
前記第２の水平支持部材を前記第２の長孔に遊嵌して前記第２の水平支持部材の垂直方向の移動と回動を許容するように取り付けられた第２の取付部材とを備え、
フォークリフトで前記開口部を介して収納物を前記収納棚に載置した後、
前記フォークリフトの爪で前記水平部材を支持し、前記爪を移動させて前記第１の被係止部と前記第２の被係止部に前記水平部材を係止させ、前記水平部材により前記開口部を横断して前記収納物が前記開口部から落下するのを阻止し、
前記開口部を開放する時には、前記フォークリフトの爪で前記水平部材を支持し、
前記フォークリフトの爪を移動させて前記水平部材を前記第１の被係止部と前記第２の被係止部から離脱させる
ことを特徴とする収納棚における収納物落下防止方法。
【請求項５】
収納物を出し入れする開口部を垂直方向に間隔を置いて複数有する収納棚と、
この収納棚の第１の垂直部材に取り付けられ、垂直方向に長い第１の長孔を有すると共に、該第１の長孔より上に位置する第１の被係止部を備えた第１の支持部材と、
前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、
水平部材と、
この水平部材の一端に遊嵌して前記水平部材の一端を支持する支持部を有する第１の水平支持部材と、
前記水平部材の他端に遊嵌して前記水平部材の他端を支持する支持部を有する第２の水平支持部材と、
前記第１の水平支持部材を前記第１の長孔に遊嵌して前記第１の水平支持部材の垂直方向の移動と回動を許容するように取り付けられる第１の取付部材と、
前記第２の水平支持部材を前記第２の長孔に遊嵌して前記第２の水平支持部材の垂直方向の移動と回動を許容するように取り付けられる第２の取付部材とを備え、
前記水平部材が前記第１の被係止部と前記第２の被係止部に、それぞれ係止した時、前記水平部材は前記開口部を横断して前記収納物が前記開口部から落下するのを阻止し、
前記水平部材が前記第１の被係止部と前記第２の被係止部から離脱し、前記水平部材が下方に移動した時、前記開口部が開放され、前記収納物の出入りが許容される
ことを特徴とする収納棚における収納物落下防止装置。
【請求項６】
収納物を出し入れする開口部を垂直方向に間隔を置いて複数有する収納棚と、
この収納棚の第１の垂直部材に取り付けられ、垂直方向に長い第１の長孔を有すると共に、該第１の長孔より上に位置する第１の被係止部を備えた第１の支持部材と、
前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、
水平部材と、
この水平部材の一端に遊嵌して前記水平部材の一端を支持する支持部を有する第１の水平支持部材と、
前記水平部材の他端に遊嵌して前記水平部材の他端を支持する支持部を有する第２の水平支持部材と、
前記第１の水平支持部材を前記第１の長孔に遊嵌して前記第１の水平支持部材の垂直方向の移動と回動を許容するように取り付けられる第１の取付部材と、
前記第２の水平支持部材を前記第２の長孔に遊嵌して前記第２の水平支持部材の垂直方向の移動と回動を許容するように取り付けられる第２の取付部材とを備え、
フォークリフトで前記開口部を介して収納物を前記収納棚に載置した後、
前記フォークリフトの爪で前記水平部材を支持し、前記爪を移動させて前記第１の被係止部と前記第２の被係止部に前記水平部材を係止させ、前記水平部材により前記開口部を横断して前記収納物が前記開口部から落下するのを阻止し、
前記開口部を開放する時には、前記フォークリフトの爪で前記水平部材を支持し、
前記フォークリフトの爪を移動させて前記水平部材を前記第１の被係止部と前記第２の被係止部から離脱させる
ことを特徴とする収納棚における収納物落下防止方法。
【発明の詳細な説明】
【技術分野】
【０００１】
本発明は、収納棚における収納物落下防止装置及び収納棚における収納物落下防止方法に係り、特に、フォークリフトの爪の利用に好適な収納棚における収納物落下防止装置及び収納棚における収納物落下防止方法に関する。
【背景技術】
【０００２】
本件発明者は、先に、収納物を搭載した荷台が地震等の衝撃により落下するのを防止する装置を提案した（例えば、特許文献１参照）。
【先行技術文献】
【特許文献】
【０００３】
【特許文献１】特許第４００１２８９号公報
【発明の概要】
【発明が解決しようとする課題】
【０００４】
しかしながら、上述の装置により荷台の落下は防止できても、荷台上の収納物が地震等の衝撃により落下してしまうという問題点が生じた。
【０００５】
本発明は、上記の問題点を除去するようにした収納棚における収納物落下防止装置及び収納棚における収納物落下防止方法を提供することを目的とする。
【課題を解決するための手段】
【０００６】
請求項１記載の収納棚における収納物落下防止装置は、収納物を出し入れする開口部を垂直方向に間隔を置いて複数有する収納棚と、この収納棚の第１の垂直部材に取り付けられ、垂直方向に長い第１の長孔を有すると共に、該第１の長孔より上に位置する第１の被係止部を備えた第１の支持部材と、前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、筒状に形成された水平部材と、この水平部材に挿し通され、前記水平部材を支持する棒状部材と、この棒状部材の一端を支持する第１の水平支持部材と、前記棒状部材の他端を支持する第２の水平支持部材と、前記第１の水平支持部材を前記第１の長孔に遊嵌して前記第１の水平支持部材の垂直方向の移動と回動を許容するように取り付けられた第１の取付部材と、前記第２の水平支持部材を前記第２の長孔に遊嵌して前記第２の水平支持部材の垂直方向の移動と回動を許容するように取り付けられた第２の取付部材とを備え、前記水平部材が前記第１の被係止部と前記第２の被係止部に、それぞれ係止した時、前記水平部材は前記開口部を横断して前記収納物が前記開口部から落下するのを阻止し、前記水平部材が前記第１の被係止部と前記第２の被係止部から離脱し、前記水平部材が下方に移動した時、前記開口部が開放され、前記収納物の出入りが許容されるものである。
【０００７】
また、請求項２記載の収納棚における収納物落下防止方法は、収納物を出し入れする開口部を垂直方向に間隔を置いて複数有する収納棚と、この収納棚の第１の垂直部材に取り付けられ、垂直方向に長い第１の長孔を有すると共に、該第１の長孔より上に位置する第１の被係止部を備えた第１の支持部材と、前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、筒状に形成された水平部材と、この水平部材に挿し通され、前記水平部材を支持する棒状部材と、この棒状部材の一端を支持する第１の水平支持部材と、前記棒状部材の他端を支持する第２の水平支持部材と、前記第１の水平支持部材を前記第１の長孔に遊嵌して前記第１の水平支持部材の垂直方向の移動と回動を許容するように取り付けられた第１の取付部材と、前記第２の水平支持部材を前記第２の長孔に遊嵌して前記第２の水平支持部材の垂直方向の移動と回動を許容するように取り付けられた第２の取付部材とを備え、フォークリフトで前記開口部を介して収納物を前記収納棚に載置した後、前記フォークリフトの爪で前記水平部材を支持し、前記爪を移動させて前記第１の被係止部と前記第２の被係止部に前記水平部材を係止させ、前記水平部材により前記開口部を横断して前記収納物が前記開口部から落下するのを阻止し、前記開口部を開放する時には、前記フォークリフトの爪で前記水平部材を支持し、前記フォークリフトの爪を移動させて前記水平部材を前記第１の被係止部と前記第２の被係止部から離脱させるものである。
【０００８】
また、請求項３記載の収納棚における収納物落下防止装置は、収納物を出し入れする開口部を垂直方向に間隔を置いて複数有する収納棚と、この収納棚の第１の垂直部材に取り付けられ、垂直方向に長い第１の長孔を有すると共に、該第１の長孔より上に位置する第１の被係止部を備えた第１の支持部材と、前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、水平部材と、この水平部材の一端を支持する第１の水平支持部材と、前記水平部材の他端を支持する第２の水平支持部材と、前記第１の水平支持部材を前記第１の長孔に遊嵌して前記第１の水平支持部材の垂直方向の移動と回動を許容するように取り付けられた第１の取付部材と、前記第２の水平支持部材を前記第２の長孔に遊嵌して前記第２の水平支持部材の垂直方向の移動と回動を許容するように取り付けられた第２の取付部材とを備え、前記水平部材が前記第１の被係止部と前記第２の被係止部に、それぞれ係止した時、前記水平部材は前記開口部を横断して前記収納物が前記開口部から落下するのを阻止し、前記水平部材が前記第１の被係止部と前記第２の被係止部から離脱し、前記水平部材が下方に移動した時、前記開口部が開放され、前記収納物の出入りが許容されるものである。
【０００９】
また、請求項４記載の収納棚における収納物落下防止方法は、収納物を出し入れする開口部を垂直方向に間隔を置いて複数有する収納棚と、この収納棚の第１の垂直部材に取り付けられ、垂直方向に長い第１の長孔を有すると共に、該第１の長孔より上に位置する第１の被係止部を備えた第１の支持部材と、前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、水平部材と、この水平部材の一端を支持する第１の水平支持部材と、前記水平部材の他端を支持する第２の水平支持部材と、前記第１の水平支持部材を前記第１の長孔に遊嵌して前記第１の水平支持部材の垂直方向の移動と回動を許容するように取り付けられた第１の取付部材と、前記第２の水平支持部材を前記第２の長孔に遊嵌して前記第２の水平支持部材の垂直方向の移動と回動を許容するように取り付けられた第２の取付部材とを備え、フォークリフトで前記開口部を介して収納物を前記収納棚に載置した後、前記フォークリフトの爪で前記水平部材を支持し、前記爪を移動させて前記第１の被係止部と前記第２の被係止部に前記水平部材を係止させ、前記水平部材により前記開口部を横断して前記収納物が前記開口部から落下するのを阻止し、前記開口部を開放する時には、前記フォークリフトの爪で前記水平部材を支持し、前記フォークリフトの爪を移動させて前記水平部材を前記第１の被係止部と前記第２の被係止部から離脱させるものである。
【００１０】
また、請求項５記載の収納棚における収納物落下防止装置は、収納物を出し入れする開口部を垂直方向に間隔を置いて複数有する収納棚と、この収納棚の第１の垂直部材に取り付けられ、垂直方向に長い第１の長孔を有すると共に、該第１の長孔より上に位置する第１の被係止部を備えた第１の支持部材と、前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、水平部材と、この水平部材の一端に遊嵌して前記水平部材の一端を支持する支持部を有する第１の水平支持部材と、前記水平部材の他端に遊嵌して前記水平部材の他端を支持する支持部を有する第２の水平支持部材と、前記第１の水平支持部材を前記第１の長孔に遊嵌して前記第１の水平支持部材の垂直方向の移動と回動を許容するように取り付けられる第１の取付部材と、前記第２の水平支持部材を前記第２の長孔に遊嵌して前記第２の水平支持部材の垂直方向の移動と回動を許容するように取り付けられる第２の取付部材とを備え、前記水平部材が前記第１の被係止部と前記第２の被係止部に、それぞれ係止した時、前記水平部材は前記開口部を横断して前記収納物が前記開口部から落下するのを阻止し、前記水平部材が前記第１の被係止部と前記第２の被係止部から離脱し、前記水平部材が下方に移動した時、前記開口部が開放され、前記収納物の出入りが許容されるものである。
【００１１】
また、請求項６記載の収納棚における収納物落下防止方法は、収納物を出し入れする開口部を垂直方向に間隔を置いて複数有する収納棚と、この収納棚の第１の垂直部材に取り付けられ、垂直方向に長い第１の長孔を有すると共に、該第１の長孔より上に位置する第１の被係止部を備えた第１の支持部材と、前記収納棚にあって前記第１の垂直部材に隣接する第２の垂直部材に取り付けられ、垂直方向に長い第２の長孔を有すると共に、該第２の長孔より上に位置する第２の被係止部を備えた第２の支持部材と、水平部材と、この水平部材の一端に遊嵌して前記水平部材の一端を支持する支持部を有する第１の水平支持部材と、前記水平部材の他端に遊嵌して前記水平部材の他端を支持する支持部を有する第２の水平支持部材と、前記第１の水平支持部材を前記第１の長孔に遊嵌して前記第１の水平支持部材の垂直方向の移動と回動を許容するように取り付けられる第１の取付部材と、前記第２の水平支持部材を前記第２の長孔に遊嵌して前記第２の水平支持部材の垂直方向の移動と回動を許容するように取り付けられる第２の取付部材とを備え、フォークリフトで前記開口部を介して収納物を前記収納棚に載置した後、前記フォークリフトの爪で前記水平部材を支持し、前記爪を移動させて前記第１の被係止部と前記第２の被係止部に前記水平部材を係止させ、前記水平部材により前記開口部を横断して前記収納物が前記開口部から落下するのを阻止し、前記開口部を開放する時には、前記フォークリフトの爪で前記水平部材を支持し、前記フォークリフトの爪を移動させて前記水平部材を前記第１の被係止部と前記第２の被係止部から離脱させるものである。
【発明の効果】
【００１２】
請求項１記載の収納棚における収納物落下防止装置によれば、水平部材が第１の被係止部と第２の被係止部に、それぞれ係止した時、前記水平部材は開口部を横断して収納物が前記開口部から落下するのを阻止することができ、また、前記水平部材が前記第１の被係止部と前記第２の被係止部から離脱し、前記水平部材が下方に移動したとき、前記開口部が開放され、前記収納物の出入りが許容されるため、前記開口部を介して収納物の出し入れを行うことができ、加えて、フォークリフトの爪で水平部材を支持後、フォークリフトの爪の先端を斜め下方に傾斜させれば、水平部材が回転しフォークリフトの爪から水平部材が容易に離脱することができる。
特に、収納物の出し入れをする際、使用するフォークリフトの爪で水平部材を支持して、第１の被係止部と第２の被係止部との係脱を容易に行うことができ、加えて、フォークリフトの爪で水平部材を支持後、フォークリフトの爪の先端を斜め下方に傾斜させれば、水平部材が回転しフォークリフトの爪から水平部材が容易に離脱することができる。
【００１３】
また、請求項２記載の収納棚における収納物落下防止方法によれば、フォークリフトで開口部を介して収納物を収納棚に載置した後、前記フォークリフトの爪で水平部材を支持し、前記爪を移動させて第１の被係止部と第２の被係止部に前記水平部材を係止させ、前記水平部材により前記開口部を横断して前記収納物が前記開口部から落下するのを阻止でき、特に、収納物の出し入れをする際、使用するフォークリフトの爪を利用して水平部材の第１の被係止部と第２の被係止部との係脱を容易に行うことができる。
【００１４】
また、請求項３記載の収納棚における収納物落下防止装置によれば、水平部材が第１の被係止部と第２の被係止部に、それぞれ係止した時、前記水平部材は開口部を横断して収納物が前記開口部から落下するのを阻止することができ、また、前記水平部材が前記第１の被係止部と前記第２の被係止部から離脱し、前記水平部材が下方に移動したとき、前記開口部が開放され、前記収納物の出入りが許容されるため、前記開口部を介して収納物の出し入れを行うことができる。
特に、収納物の出し入れをする際、使用するフォークリフトの爪で水平部材を支持して、第１の被係止部と第２の被係止部との係脱を容易に行うことができる。
【００１５】
また、請求項４記載の収納棚における収納物落下防止方法によれば、フォークリフトで開口部を介して収納物を収納棚に載置した後、前記フォークリフトの爪で水平部材を支持し、前記爪を移動させて第１の被係止部と第２の被係止部に前記水平部材を係止させ、前記水平部材により前記開口部を横断して前記収納物が前記開口部から落下するのを阻止でき、特に、収納物の出し入れをする際、使用するフォークリフトの爪を利用して水平部材の第１の被係止部と第２の被係止部との係脱を容易に行うことができる。
【００１６】
また、請求項５記載の収納棚における収納物落下防止装置によれば、水平部材が第１の被係止部と第２の被係止部に、それぞれ係止した時、前記水平部材は開口部を横断して収納物が前記開口部から落下するのを阻止することができ、また、前記水平部材が前記第１の被係止部と前記第２の被係止部から離脱し、前記水平部材が下方に移動したとき、前記開口部が開放され、前記収納物の出入りが許容されるため、前記開口部を介して収納物の出し入れを行うことができる。
特に、収納物の出し入れをする際、使用するフォークリフトの爪で水平部材を支持して、第１の被係止部と第２の被係止部との係脱を容易に行うことができ、加えて、フォークリフトの爪で水平部材を支持後、フォークリフトの爪の先端を斜め下方に傾斜させれば、水平部材が回転しフォークリフトの爪から水平部材が容易に離脱することができる。
【００１７】
また、請求項６記載の収納棚における収納物落下防止方法によれば、フォークリフトで開口部を介して収納物を収納棚に載置した後、前記フォークリフトの爪で水平部材を支持し、前記爪を移動させて第１の被係止部と第２の被係止部に前記水平部材を係止させ、前記水平部材により前記開口部を横断して前記収納物が前記開口部から落下するのを阻止でき、特に、収納物の出し入れをする際、使用するフォークリフトの爪を利用して水平部材の第１の被係止部と第２の被係止部との係脱を容易に行うことができる。
【図面の簡単な説明】
【００１８】
【図１】図１は、本発明の一実施例の収納棚における収納物落下防止装置の概略的正面図である。
【図２】図２は、図１の収納棚における収納物落下防止装置の第１の水平支持部材と第１の取付部材とを分解して示す概略的分解斜視図である。
【図３】図３は、図１の収納棚における収納物落下防止装置の第２の水平支持部材と第２の取付部材とを分解して示す概略的分解斜視図である。
【図４】図４は、図１の収納棚における収納物落下防止装置の水平部材が下方に移動した状態の概略的一部正面図である。
【図５】図５は、図４の５−５線による概略的断面図である。
【図６】図６（ａ）（ｂ）（ｃ）は、図１の収納棚における収納物落下防止装置の水平部材のフォークリフトの爪による移動状態を示す概略的断面図である。
【図７】図７は、図６（ａ）の状態を正面斜め上から見た概略的斜視図である。
【図８】図８は、図１の状態を正面斜め上から見た概略的斜視図である。
【発明を実施するための形態】
【００１９】
本発明の一実施例の収納棚における収納物落下防止装置及び収納棚における収納物落下防止方法を図面を参照して説明する。
図１は、収納棚における収納物落下防止装置の概略的正面図で、収納棚における収納物落下防止装置は、収納棚１に収納された収納物２が地震等の衝撃を受けた場合、収納物２の落下を防ぐ装置である。
収納棚１は、垂直部材１１と水平部材１２とから構成され、例えば、第１の垂直部材１１１、この第１の垂直部材に隣接する第２の垂直部材１１２、水平部材１２で囲まれる開口部３に収納物２を収納するようになっている。４は、収納物２を載置するパレットである。
収納棚１は、収納物２を水平方向に出し入れする開口部３を垂直及び水平方向に間隔を置いて複数有している。
【００２０】
図１及び図２に示す５は収納棚１の第１の垂直部材１１１（１１）に取り付けられた第１の支持部材で、第１の支持部材５は、第１の支持部材５の長手方向を横断する断面形状が略Ｌ字形状をなしている。第１の垂直部材１１１に取り付けられる面はベース５１で、このベース５１より立ち上がった面は、立ち上がり部５２となっている。この立ち上がり部５２には、垂直方向に長い第１の長孔５３を有すると共に、該第１の長孔５３より上に位置する第１の被係止部５４を備えている。第１の被係止部５４は、上部が開放した略Ｕ字形状をなしている。第１の支持部材５は、ボルト、ワッシャー、ナットにより第１の垂直部材１１１に取り付けられる。
図１及び図３に示す６は収納棚１の第２の垂直部材１１２（１１）に取り付けられた第２の支持部材で、第２の支持部材６は、第２の支持部材６の長手方向を横断する断面形状が略Ｕ字形状をなしている。これは、水平部材７と、該水平部材７に隣接する水平部材７’の支持を共用するために、断面形状が略Ｕ字形状となっている。
第２の垂直部材１１２に取り付けられる面はベース６１で、このベース６１より立ち上がった面は、立ち上がり部６２、６２となっている。立ち上がり部６２、６２には、垂直方向に長い第２の長孔６３、６３を有すると共に、該第２の長孔６３、６３より上に位置する第２の被係止部６４、６４を備えている。第２の被係止部６４、６４は、それぞれ上部が開放した略Ｕ字形状をなしている。第２の支持部材６は、ボルト、ワッシャー、ナットにより第２の垂直部材１１２に取り付けられる。
【００２１】
図２に示す８は、棒状部材７１の一端を支持する第１の水平支持部材（アーム）で、略くの字形状をなし、第１の水平支持部材８は、一端に筒状部８１、他端に棒状部材７１を有している。上述の棒状部材７１は、筒状に形成された水平部材７に挿し通され、水平部材７を支持するものである。
棒状部材７１の一端と第１の水平支持部材８とは、図２に示すように、棒状部材７１の一端に設けた雌ネジ（図示せず）に第１の水平支持部材８に設けた穴を介してボルト７３を螺合させるようになっている。７２はワッシャである。棒状部材７１の一端に設けた雌ネジ（図示せず）は、例えば、棒状部材７１が中実の場合は、棒状部材７１の一端に直接形成された雌ネジ（図示せず）であり、棒状部材７１が中空の場合は、リング状部材（図示せず）の穴に形成された雌ネジであり、該リング状部材（図示せず）の外周は棒状部材７１に溶接して接合される。
また、棒状部材７１の一端と第１の水平支持部材８とは、図２に示すものに限らず、棒状部材７１の一端と第１の水平支持部材８とを溶接によって接合するようにしても良い。
【００２２】
図２に示す９は第１の取付部材で、第１の取付部材９は、第１の水平支持部材８を第１の長孔５３に遊嵌して第１の水平支持部材８の垂直方向の移動と回動を許容するように取り付けられるもので、第１の取付部材９は、具体的には、ボルト９１、ワッシャー９２、９３、ナット９４を有する。                       
【００２３】
図３及び図５に示す１０は、棒状部材７１の他端を支持する第２の水平支持部材（アーム）で、略逆くの字形状をなし、第２の水平支持部材１０は、一端に筒状部１０１、他端に棒状部材７１を有している。
棒状部材７１の他端と第２の水平支持部材１０とは、図４に示すように、溶接によって接合している。
なお、本発明にあっては、棒状部材７１の他端と第２の水平支持部材１０とは、溶接による接合に限らず、図示しないが、棒状部材７１の一端と同様に、棒状部材７１の他端に設けた雌ネジ（図示せず）に第２の水平支持部材１０に設けた穴（図示せず）を介してボルト（図示せず）を螺合させるようにしても良い。かかる場合、棒状部材７１の他端に設けた雌ネジ（図示せず）は、例えば、棒状部材７１が中実の場合は、棒状部材７１の他端に直接形成された雌ネジ（図示せず）であり、棒状部材７１が中空の場合は、リング状部材（図示せず）の穴に形成された雌ネジであり、該リング状部材（図示せず）の外周は棒状部材７１に溶接して接合される。
【００２４】
図３に示す１１’は第２の取付部材で、第２の取付部材１１’は、第２の水平支持部材１０を第２の長孔６３に遊嵌して第２の水平支持部材１０の垂直方向の移動と回動を許容するように取り付けられるもので、具体的には、ボルト１１１’、ワッシャー１１２’、１１３’、ナット１１４’を有する。
【００２５】
従って、フォークリフト（図示しない）で開口部３を介して収納物２を収納棚１に載置した後、該フォークリフト（図示しない）の爪Ｆを利用して、
フォークリフトの爪Ｆで水平部材７を支持し、爪Ｆを移動させて第１の被係止部５４と第２の被係止部６４に水平部材７を係止させ、水平部材７により開口部３を横断して収納物２が開口部３から落下するのを阻止し、開口部３を開放する時には、フォークリフトの爪Ｆで水平部材７を支持し、フォークリフトの爪Ｆを移動させて水平部材７を第１の被係止部５４と第２の被係止部６４から離脱させる。
即ち、図４、図６（ａ）、図７の位置にある水平部材７を図１、図８の位置まで、移動させるには、先ず、フォークリフトの爪Ｆで水平部材７を支持し[図６（ａ）及び図７参照］、支持した後、爪Ｆを上方に移動させて第１の被係止部５４と第２の被係止部６４の上に水平部材７を位置させる[図６（ｂ）参照）］。その際、第１の水平支持部材８及び第２の水平支持部材１０は、垂直方向に移動しながら回動する。
第１の被係止部５４と第２の被係止部６４の上に水平部材７が位置した後、爪Ｆを移動、該移動は、ゆっくり降下させれば、第１の水平支持部材８及び第２の水平支持部材１０の自重により、第１の長孔５３及び第２の長孔６３に沿って動いて水平部材７を第１の被係止部５４と第２の被係止部６４とに係止させる（図８参照）。
また、爪Ｆをゆっくり降下させなくても、図６（ｃ）に示すように、爪Ｆの先端を斜め下方に傾斜させれば、水平部材７が回転し、フォークリフトの爪Ｆから水平部材７が容易に離脱することができる。
その結果、水平部材７により開口部３を横断して収納物２が開口部３から落下するのを阻止することができる。
また、開口部３を開放する時には、フォークリフトの爪Ｆで水平部材７を支持し、支持した後、フォークリフトの爪Ｆを上方に移動させて水平部材７を第１の被係止部５４と第２の被係止部６４から離脱させ、離脱後、フォークリフトの爪Ｆを手前に引くように移動させる。その後、フォークリフトの爪Ｆを下降させ、下降後、フォークリフトの爪Ｆを手前に引いて、水平部材７からフォークリフトの爪Ｆを離脱させる。
離脱後、つまり、水平部材７が下方に移動した時（図４参照）、開口部３が開放され、収納物２の開口部３への出入りが許容されることとなる。
なお、水平部材７の下方位置は、図６（ａ）に示すように、収納棚１の水平部材１２の上面と下面との間に位置している。
【００２６】
なお、上述した実施例においては、水平部材７を一本の棒状部材７１を介して支持させるようにしたが、本発明はこれに限らず、一本の棒状部材７１の代わりに、筒状の水平部材７の端部に遊嵌（遊びをもった状態に嵌める）する凸状部（図示せず）を第１の水平支持部材８と第２の水平支持部材１０とにそれぞれ設けるようにして、つまり、水平部材７の開口された一端を第１の水平支持部材８に設けた凸状部（図示せず）で、水平部材７の開口された他端を第２の水平支持部材１０に設けた凸状部（図示せず）で、それぞれ遊嵌させても良いし、
また、水平部材７の端部に遊嵌する凹状部（図示せず）を第１の水平支持部材８と第２の水平支持部材１０とにそれぞれ設けるようにして、つまり、水平部材７の一端を第１の水平支持部材８に設けた凹状部（図示せず）で、水平部材７の開口された他端を第２の水平支持部材１０に設けた凹状部（図示せず）で、それぞれ遊嵌させても良いし、
また、水平部材７を支持する棒状部材７１をなくし、水平部材７の一端を第１の水平支持部材８に、水平部材７の他端を第２の水平支持部材１０に、それぞれ取り付けるようにしても良い。取り付けは、例えば、溶接、ボルト等による接合である。
【符号の説明】
【００２７】
２      収納物
３      開口部
７      水平部材
５４    第１の被係止部
６４    第２の被係止部
【図１】
2010254407.tif 000003
【図２】
2010254407.tif 000004
【図３】
2010254407.tif 000005
【図４】
2010254407.tif 000006
【図５】
2010254407.tif 000007
【図６】
2010254407.tif 000008
【図７】
2010254407.tif 000009
【図８】
2010254407.tif 000010